(57)【要約】【課題】飲料容器の転倒防止性を向上させ、箸などの置き場所を確保できる飲料容器転倒防止具を提供する。【解決手段】飲料容器転倒防止具１はシート状であり、連結手段５と保持手段６が設けられている。そして、連結手段５によって上部開口３０及び下部開口３１を有する筒状体を形成することができ、上部開口３０から飲料容器５５を入れて飲料容器５５の転倒防止性を向上させる。また外周面５２には保持手段６が設けられ、保持手段６には下部開口３１側から上部開口３０側に向かって伸びる保持片２５と、保持片２５の周方向の両側に形成される欠落部２６とを有しており、箸５６が保持手段６によって保持される。【選択図】図２
2015173950.tif 000002
【特許請求の範囲】
【請求項１】
シート状部材を屈曲状態として組み立てることにより飲料容器の転倒を防止するための飲料容器転倒防止具として使用可能なものであり、
前記シート状部材を組み立てることにより、
飲料容器を上下方向に出し入れ可能なように開口した上部開口を上方側に備えた筒状体と、
前記シート状部材を前記屈曲状態を維持可能なように固定する固定手段と、
他物品を保持するための保持手段とを形成可能であり、
前記筒状体の外周面が、下方側から上方側に向かって先細り形状となるように傾斜したものであり、
前記保持手段が、
前記筒状体の下方側から上方側に向かって延びるように形成され、上端側が自由端とされた保持片と、
前記保持片に対して少なくとも前記筒状体の周方向両側において開口領域を有する欠落部とを有することを特徴とする飲料容器転倒防止具。
【請求項２】
前記欠落部が、前記保持片の上方側においても開口領域を有することを特徴とする請求項１に記載の飲料容器転倒防止具。
【請求項３】
前記筒状体の下方側に、下部開口が形成されることを特徴とする請求項１又は２に記載の飲料容器転倒防止具。
【請求項４】
前記保持片が、前記筒状体の内外方向への弾性力を有することを特徴とする請求項１〜３のいずれかに記載の飲料容器転倒防止具。
【請求項５】
前記外周面に設けられた切れ目によって形成され、前記外周面を部分的に変形させることが可能な変形可能部が一又は複数設けられていることを特徴とする請求項１〜４のいずれかに記載の飲料容器転倒防止具。
【請求項６】
前記固定手段が、
前記シート状部材の一端側において凸状に形成された係合部と、
前記シート状部材の他端側において前記係合部を係脱可能なように形成された切れ目からなる被係合部との組み合わせによって構成されていることを特徴とする請求項１〜５のいずれかに記載の飲料容器転倒防止具。
【請求項７】
前記被係合部が、前記筒状体の周方向にずれる位置に複数形成されていることを特徴とする請求項６に記載の飲料容器転倒防止具。
【発明の詳細な説明】
【技術分野】
【０００１】
本発明は、飲料容器の転倒を防止する飲料容器転倒防止具に関するものであり、特に飲料容器の転倒を防止しつつ、他物品を保持することが可能なもの関する。
【背景技術】
【０００２】
飲料水、ジュース、ビールなどの飲料は、缶、紙コップ、瓶などのさまざまな飲料容器に入れられて提供されている。これらの飲料容器は、底部の接触する部分は、机などの平面的な場所においてもガタつかないような形状になっており、飲料を飲んでいる途中で机に置いても、転倒しにくいような形状が採用されている。
【０００３】
このような飲料容器の転倒防止具として、特許文献１などに飲料用カップの断熱具兼安定把持具が開示されている。特許文献１の飲料用カップの断熱具兼安定把持具は、扇状シートの一方側縁部に差込片を形成し、他方側縁部に差込部を形成し、該差込部に前記差込片を挿脱可能に挿入することにより、扇状シートの両縁部を接続している。そして、飲料用カップを筒状本体の内側に配置して、転倒防止性を向上させている。
【先行技術文献】
【特許文献】
【０００４】
【特許文献１】特開２０１３−３５５９３号公報
【発明の概要】
【発明が解決しようとする課題】
【０００５】
花見など、野外で飲料を飲む機会があるが、この場合、地面の上にござやシートを敷き、その上に飲料容器を置くことがある。この場合、地面には凹凸があるので机などの平面に置くときに比べて飲料容器が転倒しやすく、また、ござやシートの上で移動する場合などに、飲料容器に誤って接触して転倒させてしまうこともあった。そのため、転倒防止性を向上させることが求められている。
【０００６】
また、野外で飲料を飲む場合、次のような問題点もあった。第一に、花見などの野外で飲料を飲むときには同時に飲食も行われることも多い。その際に箸などを使うが、置き場所に困ることがある。第二に、地面の上にござやシートを敷き、その上に複数の人が飲料容器を置くと、誰の飲料なのかが分からなくなりやすく、誤って他人の飲料を飲む恐れがあった。このような間違いは飲料だけでなく、飲食に用いる箸なども同様であり、他人のものを使用する恐れがあった。
【０００７】
そこで、本発明の目的は、飲料容器の転倒防止性を向上させ、箸などの置き場所を確保できる飲料容器転倒防止具を提供することにある。さらに、自分の用いている飲料容器や、合わせて用いている箸などを、他人のものと間違えることを低減させることのできる飲料容器転倒防止具を提供することにある。
【課題を解決するための手段】
【０００８】
上述した課題を解決すべく提供される本発明の飲料容器転倒防止具は、シート状部材を屈曲状態として組み立てることにより飲料容器の転倒を防止するための飲料容器転倒防止具として使用可能なものであり、前記シート状部材を組み立てることにより、飲料容器を上下方向に出し入れ可能なように開口した上部開口を上方側に備えた筒状体と、前記シート状部材を前記屈曲状態を維持可能なように固定する固定手段と、他物品を保持するための保持手段とを形成可能であり、前記筒状体の外周面が、下方側から上方側に向かって先細り形状となるように傾斜したものであり、前記保持手段が、前記筒状体の下方側から上方側に向かって延びるように形成され、上端側が自由端とされた保持片と、前記保持片に対して少なくとも前記筒状体の周方向両側において開口領域を有する欠落部とを有するものである。
【０００９】
本発明の飲料容器転倒防止具は、下方側から上方側に向かって先細り形状となるように傾斜したものであり、床や台、地面等の上に配置した際の安定性が高い。そのため、上部開口から筒状体内に飲料容器を配置することにより、飲料容器の安定性を向上させ転倒を防止することができる。
【００１０】
また、本発明の飲料容器転倒防止具においては、筒状体の外周面に保持手段が設けられている。保持手段は、上端側が自由端とされた保持片を有し、箸などの他物品を挟み込んで保持させることができる。また、保持片の両側には、開口領域により形成された欠落部がある。そのため、飲食に用いられる箸等のような長尺の他物品を保持片によって保持させた場合であっても、他物品を筒状体の外周面と干渉することなく保持させることができる。従って、本発明の飲料容器転倒防止具によれば、箸等の長尺の他物品であっても容易に保持させることが可能である。
【００１１】
また、本発明の飲料容器転倒防止具は、飲料容器に加えて箸等を保持させることができる。そのため、筒状体に差し込まれている飲料容器と、保持手段により保持されている箸等の他物品との組み合わせにより識別力を高め、自分の飲料容器や箸等の他物品を他人のものと間違える可能性を低減させることができる。
【００１２】
上述した本発明の飲料容器転倒防止具は、前記欠落部が、前記保持片の上方側においても開口領域を有するものであることが望ましい。
【００１３】
かかる構成によれば、保持片の上方側に形成された欠落部の開口領域により隙間が形成され、箸等の他物品を差し入れやすくなる。
【００１４】
また、上述した本発明の飲料容器転倒防止具は、前記筒状体の下方側に、下部開口が形成されるものであることが好ましい。
【００１５】
かかる構成とすることにより、床や台のように凹凸の少ない設置面上に配置する場合だけではなく、地面のように凹凸のある設置面上に配置する場合であっても安定性が高い飲料容器転倒防止具を提供できる。
【００１６】
本発明の飲料容器転倒防止具は、前記保持片が、前記筒状体の内外方向への弾性力を有するものであることが望ましい。
【００１７】
かかる構成によれば、保持手段によって保持される他物品に対して保持片が有する弾性力が作用し、他物品をしっかりと保持することができる。
【００１８】
上述した本発明の飲料容器転倒防止具は、前記外周面に設けられた切れ目によって形成され、前記外周面を部分的に変形させることが可能な変形可能部が一又は複数設けられているものとすることが可能である。
【００１９】
本発明の飲料容器転倒防止具は、変形可能部において適宜、外周面を部分的に変形させ、外観形状を変化させ、識別性を向上させることができる。これにより、自分の飲料容器や箸等の他物品を他人のものと間違える可能性をより一層低減させることができる。
【００２０】
上述した本発明の飲料容器転倒防止具は、前記固定手段が、前記シート状部材の一端側において凸状に形成された係合部と、前記シート状部材の他端側において前記係合部を係脱可能なように形成された切れ目からなる被係合部との組み合わせによって構成されているものであっても良い。
【００２１】
かかる構成によれば、固定手段を別途用意する必要がなく、飲料容器転倒防止具をシンプルなものとすることができる。
【００２２】
また、上述した本発明の飲料容器転倒防止具は、前記被係合部が、前記筒状体の周方向にずれる位置に複数形成されているものであっても良い。
【００２３】
かかる構成によれば、係合部を係合させる被係合部を適宜選択することにより、上部開口の開口面積や周方向の長さを調整することができる。従って、本発明の飲料容器転倒防止部によれば、様々なサイズの飲料容器に対応することができる。
【発明の効果】
【００２４】
本発明によれば、飲料容器の転倒防止性を向上させ、箸などの置き場所を確保できる飲料容器転倒防止具を提供することができる。また、本発明によれば、自分の用いている飲料容器や、合わせて用いている箸などを、他人のものと間違えることを低減させることのできる飲料容器転倒防止具を提供することができる。
【図面の簡単な説明】
【００２５】
【図１】本発明の飲料容器転倒防止具の組立前の状態を示す正面図である。
【図２】本発明の飲料容器転倒防止具の使用状態を示す斜視図である。
【図３】本発明の飲料容器転倒防止具の組立状態を示す三面図であり、（ａ）は平面図、（ｂ）は正面図、（ｃ）は右側面図である。
【発明を実施するための形態】
【００２６】
以下、本発明の一実施形態に係る飲料容器転倒防止具１について、図面を参照しつつ詳細に説明する。飲料容器転倒防止具１は、図１に示されるように扇面形に形成されたシート状部材２を屈曲させる等して組み立てて使用される。シート状部材２には、組み立て状態において筒状体３を形成する部分や、固定手段５を構成する部分、保持手段６を構成する部分、変形可能部７を構成する部分等が設けられている。
【００２７】
シート状部材２は、同心円の円弧により構成された内周縁３０及び外周縁３１と、終端縁３２，３３とにより外縁が構成された扇面状の外観形状を有する。終端縁３２は内周縁３０及び外周縁３１の周方向一方側の端部を繋ぐように形成された縁であり、終端縁３３は周方向他方側の端部を繋ぐように形成された縁である。飲料容器転倒防止具１を一般的な飲料容器に用いることを想定すると、内周縁３０と外周縁３１との間の幅、すなわち終端縁３２，３３の長さは、５０〜１００ｍｍの範囲内であることが望ましく、６０〜８０ｍｍの範囲内であることがより一層好ましい。シート状部材２の大部分が、筒状体３を構成するために使用される部分となる。
【００２８】
シート状部材２の両端側、すなわち終端縁３２，３３付近は、固定手段５を構成する部分である。固定手段５は、シート状部材２の一端側（終端縁３２側）に設けられた係合部１０と、他端側（終端縁３３側）に設けられた被係合部１１の組み合わせによって構成される。係合部１０は、凸状の差込片２０を複数（本実施形態では２つ）、終端縁３２に沿って所定の間隔を開けて設けられている。差込片２０は、スリット状の切れ目２１によって構成された被係合部１１に差し込み可能とされている。また、被係合部１１をなす切れ目２１は、終端縁３２に沿う方向に２つずつ、シート状部材２（筒状体３）の周方向に２列に亘って設けられている。
【００２９】
上述した差込片２０の形状は、被係合部１１をなす切れ目２１との連結が可能であれば特に限定されるものではないが、本実施形態の飲料容器転倒防止具１の差込片２０の形状は先端ほど幅が狭い形状が採用されている。従って、連結の際に切れ目２１に挿入しやすく、連結作業が容易になっている。また、差込片２０の付根部分２２は周囲よりも幅が短い部分があって切り欠き状であり、連結が行われて差込片２０が切れ目２１に一旦入ると付根部分２２が切れ目２１に入るため抜けにくくなっている。
【００３０】
上述した各差込片２０の位置及び幅は、各切れ目２１に対応するように設けられている。そのため、シート状部材２を湾曲させて環状にし、２列に亘って設けられた切れ目２１のうち、いずれかの列において終端縁３２に沿う方向に並ぶ２つの切れ目２１に各差込片２０を挿入して係合させることにより係合部１０と被係合部１１とを連結し、シート状部材２を湾曲状態で維持させることができる。これにより、筒状体３を構成することができる。
【００３１】
固定手段５によってシート状部材２の終端縁３２側と終端縁３３側とを連結すると、図２に示されるように、筒状体３が構成される。シート状部材２の内周縁３０は、筒状体３の上部開口５０を構成し、外周縁３１は下部開口５１を構成する。上部開口５０は下部開口５１よりも小さい。そのため、飲料容器転倒防止具１（筒状体３）の全体の形状は、下部開口５１側に向けて大きくなる末広がり状の形状（本実施形態では円錐台形）となる。また、筒状体３の外周面５２は、傾斜した面（傾斜面）となる。
【００３２】
筒状体３の内側には、飲料容器５５を配置することができる空間４０が形成される。上部開口５０側から空間４０内に飲料容器５５を差し込んで配置することにより、飲料容器５５の転倒を防止することができる。また、飲料容器転倒防止具１の組み立て時に、２列に亘って設けられた切れ目２１のうち、いずれの列をなす切れ目２１に差込片２０を挿入するかを選択することにより、上部開口５０の開口径や周方向の長さを調整することができる。従って、飲料容器５５の太さを考慮していずれの列をなす切れ目２１に差込片２０を挿入するかを適宜選択することにより、飲料容器５５をしっかりと保持することができる。
【００３３】
図１及び図２に示されるように、保持手段６は、飲料容器転倒防止具１が組み立てられた状態では外周面５２に位置している。保持手段６は、箸５６などの他物品を保持させる用途で用いられるものでる。保持手段６は、保持片２５と欠落部２６を有している。
【００３４】
保持片２５は、筒状体３の下方側（下部開口５１側）から上方側（上部開口５０側）に向かって延びるように形成された片状の部分である。保持片２５の付け根部２５ａは、下部開口５１（外周縁３１）側において固定されている。また、保持片２５の先端部２５ｂは、自由端とされている。そのため、保持片２５は、シート状部材２をなすシートが有する弾性力により、筒状体３の径方向に弾性変形させることができる。
【００３５】
欠落部２６は、シート状部材２に開口を形成することにより外周面５２の一部が欠落するように設けられたものである。欠落部２６は、保持片２５に対して筒状体３の周方向両側に形成された開口領域（側部欠落領域２６ａ）と、保持片２５の上方（上部開口５０）側に形成された開口領域（上部欠落領域２６ｂ）とを有する。本実施形態では、側部欠落領域２ａ及び上部欠落領域２６ｂが一体的に形成されており、その全体形状が逆Ｕ字型となっている。
【００３６】
図２に示すように、保持手段６には、箸５６等の他物品を保持させることができる。ここで、箸５６のような長尺の他物品を保持手段６によって保持させる場合には、保持片２５により他物品を挟み込むと、箸５６は保持片２５の両脇にある側部欠落領域２６ａに相当する領域に配置される。本実施形態では、側部欠落領域２６ａにおいて筒状体３の外周面５２が欠落しているため、箸５６等の長尺物を保持させる場合であっても筒状体３と干渉しない。また、保持手段６は、保持片２５の上方側においても上部欠落領域２６ｂが設けられ、外周面５２が欠落している。また、外周面５２は、筒状体３の上方から下方に向かうに連れて末広がりの形状となるように傾斜している。そのため、筒状体３を上方から見ると、図３（ａ）に示されるように、保持片２５の先端部２５ｂ付近に箸５６等の他物品を差し込むのに適した隙間４２が形成される。そのため、保持手段６は、保持片２５を筒状体３の径方向外側に向けてわざわざ大きく撓ませなくてもスムーズに箸５６等を差し込んで保持させることができる。
【００３７】
保持片２５や欠落部２６の形状や大きさは、保持する箸５６など大きさや太さなどによって変えることができる。具体的には、保持片２５の長さは、１０〜３０ｍｍの範囲内であることが望ましく、１５〜２０ｍｍの範囲内であることが望ましい。本実施形態では、保持片２５の長さが１８ｍｍ程度とされている。保持片２５の幅は、５〜２０ｍｍの範囲内であることが望ましく、１０〜１５ｍｍの範囲内であることが望ましい。本実施形態では、保持片２５の幅が１２ｍｍ程度とされている。また、保持片２５の両側に配される側部欠落領域２６ａの幅は、５〜２０ｍｍの範囲内であることが望ましく、１０〜１５ｍｍの範囲内であることが望ましい。本実施形態では、側部欠落領域２６ａの幅はそれぞれ１２ｍｍ程度とされている。また、上部欠落領域２６ｂの高さは、５〜２０ｍｍの範囲内であることが望ましく、１０〜１５ｍｍの範囲内であることが望ましい。本実施形態では、上部欠落領域２６ｂの高さは１２ｍｍ程度とされている。
【００３８】
また、図１〜図３に示すように、シート状部材２には、変形可能部７が設けられている。変形可能部７は、外周面５２を変形させることにより、飲料容器転倒防止具１の識別力を向上させるためのものである。本実施形態では、変形可能部７として切れ目３５が複数設けられている。切れ目３５は適宜の形状とすることが可能であるが、本実施形態では円弧状とされている。また、切れ目３５の数量についても適宜のものとすることができるが、本実施形態では全部で６つ形成されている。
【００３９】
変形可能部７は、切れ目３５によって囲まれた領域の中心部を筒状体３の内側に向けて押し込んだり、筒状体３の外側に引き出したりすることにより、外周面５２を部分的に変形させることができる。ここで、切れ目３５の中心角や大きさはいかなるものであっても良いが、前述したように使用者が指で押し込んだり引き出す作業を容易に行えるものであることが好ましい。具体的には、切れ目３５の中心角は、２３０度〜３００度の範囲内であることが望ましく、２５０度〜２８０度の範囲内であることが望ましい。本実施形態では、切れ目３５の中心角が約２７０度とされている。また切れ目３５の半径は、３ｍｍ〜１０ｍｍの範囲内であることが望ましく、５ｍｍ〜８ｍｍの範囲内であることが望ましい。本実施形態では、切れ目３５の半径が、約６ｍｍとされている。
【００４０】
上述したように、変形可能部７をなす切れ目３５は、外周面５２に複数設けられている。そのため、使用者が複数の切れ目３５から任意の場所に設けられた切れ目３５を選択して変形させることにより、各使用者毎に飲料容器転倒防止具１の外観を相違させ、他人のものと容易に区別可能とすることができる。これにより、飲料容器５５や箸５６を他人のものと間違えることを防止することができる。
【００４１】
上述したように、本実施形態の飲料容器転倒防止具１は、外周面５２が下方側から上方側に向かって先細り形状となるように傾斜したものであり安定性が高い。これに加えて、飲料容器転倒防止具１においては、筒状体３の下方側に下部開口５１が形成されている。そのため、飲料容器転倒防止具１を用いれば、床や台のような平坦な面上に配置する場合だけでなく、地面等のように起伏を有する面の上に配置した際にも安定性が高く、飲料容器５５を転倒しないようにしっかりと保持することができる。
【００４２】
また、本実施形態の飲料容器転倒防止具１は、シート状部材２を組み立てることにより簡単に使用可能な状態になる。そのため、シート状部材２をシート状のまま持ち運び、使用する現場において組み立てて使用する使用形態を実現可能である。従って、飲料容器転倒防止具１は、利便性に優れており、例えば花見などのために野外で飲食する用途に好適に利用可能である。
【００４３】
本実施形態では、飲料容器転倒防止具１の一例として、シート状の素材をシート状部材２の形に成形した形態のものを例示したが、本発明はこれに限定されるものではない。具体的には、矩形状等の適宜の形状を有するシート状の素材に、シート状部材２の形に切れ目を入れておく等して、シート状部材２を適宜シート状の素材から切り取ってから組み立て可能なようにしても良い。
【００４４】
また、上述した飲料容器転倒防止具１においては、筒状体３の外周面５２に設けられた保持手段６の保持片２５に、箸などの他物品を挟み込んで保持させることができる。また、保持片２５の両側に側部欠落領域２６ａが形成されているため、箸５６のような長尺の他物品を保持させる場合であっても外周面５２と干渉することなく保持させることができる。飲料容器転倒防止具１により、飲料容器５５に加えて箸５６等を保持させることにより、飲料容器５５と箸５６等との組み合わせにより識別力を高め、自分の飲料容器５５や箸５６等を他人のものと間違える可能性を低減させることができる。
【００４５】
また、本実施形態の飲料容器転倒防止具１は、欠落部２６が、保持片２５の上方側においても開口領域（上部欠落領域２６ｂ）を有し、上方から見た状態において保持片２５との間に隙間４２が形成される。そのため、飲料容器転倒防止具１は、隙間４２がある分だけ保持片２５に箸５６等を保持させる作業が容易に行える。
【００４６】
上述した飲料容器転倒防止具１は、保持片２５が、筒状体３の径方向（内外方向）への弾性力を有する。そのため、保持片２５に他物品を挟み込むと、保持片２５が有する弾性力が他物品に作用し、しっかりと保持することができる。
【００４７】
上述したように、飲料容器転倒防止具１は、切れ目３５によって形成された変形可能部７が外周面５２に設けられており、使用者が独自に外周面５２を変形させることができる。そのため、変形可能部７を用いて飲料容器転倒防止具１の外観形状を変化させることで、識別性を向上させ、自分の飲料容器５５や箸５６等を他人のものと取り違える可能性を最小限に抑制できる。なお、本実施形態では、変形可能部７を設けた例を示したが、本発明はこれに限定されるものではなく、変形可能部７を設けないこととしても良い。また、変形可能部７を設ける代わりに、使用者毎に区別可能なように外観を変化させることができるようにしても良い。
【００４８】
上述した飲料容器転倒防止具１は、固定手段５として、係合部１０及び被係合部１１の組み合わせによって構成されるものを採用している。そのため、固定手段５を別途用意する必要がなく、飲料容器転倒防止具１をシンプルなものとすることができる。なお、飲料容器転倒防止具１においては、係合部１０及び被係合部１１からなる固定手段５を設けた例を示したが、本発明はこれに限定されるものではなく、シート状部材２を筒状体３の形状に維持できるように固定可能なものであればいかなるものであっても良い。
【００４９】
また、上述した固定手段５は、被係合部１１を筒状体３の周方向にずれる位置に複数列に亘って形成した構成としている。そのため、係合部１０を係合させる被係合部１１の位置を周方向に適宜変更することにより、上部開口５０の開口面積や周方向の長さを調整し、飲料容器転倒防止具１を用いる飲料容器５５に最適なサイズに調整することができる。なお、上述した固定手段５は、上部開口５０の開口面積等を調整可能な調整機能を備えたものであるが、本発明はこれに限定されるものではなく、このような調整機能を備えたものでなくても良い。また、前述した調整機能を発揮できるものであれば、本実施形態において例示した形態に限定されず、いかなるものを採用しても良い。
【００５０】
本実施形態では、飲料容器転倒防止具１を構成するシート状部材２０のみを準備する例を示したが、本発明はこれに限定されるものではない。具体的には、他物品を構成する部材の一部としてシート状部材２０を設け、飲料容器転倒防止具１として使用する際に他物品を構成する他部材からシート状部材２を適宜分離させて使用可能としても良い。さらに詳細には、例えば従来公知のクリアフォルダを構成する２枚のシートのうち、一方あるいは双方をシート状部材２によって構成し、飲料容器転倒防止具１として使用する際にシート状部材２を分離させて組み立て可能としても良い。同様の例として、カレンダーや、雑誌あるいは書籍等の冊子等の一部としてシート状部材２を設けたもの等が考えられる。
【００５１】
上述した本実施形態における飲料容器転倒防止具１は、ポリプロピレン等の樹脂製のシート等を用いて形成することが可能であるが、変形可能なシート材であればいかなる材質で作成されていても良い。具体的には、紙やゴムシートなどを飲料容器転倒防止具１の材料として用いても良い。
【００５２】
また、飲料容器転倒防止具１の製造方法は特に限定されるものではないが、シート材を打ち抜きやレーザー加工などの従来公知の方法を用いて行うことができる。具体的には、シート材料を、内周縁３０、外周縁３１、差込片２０、切れ目２１、欠落部２６などの外周部分や切断が必要な部分を切断し加工して行うことができる。
【００５３】
また、外周面５２には必要に応じて広告などの表示を行うことも可能である。この表示は、着色などで行ってもよく、既に説明したように型でプレスする際に機能に影響しないような形に型抜きするなどして行ってもよい。
【００５４】
本実施形態の飲料容器転倒防止具１での説明においては、飲料容器５５は円柱状のものを用いて説明したが、特に限定されるものではなく、四角柱状のものであってもよく、紙コップのように下方の断面ほど小さくなる円錐台状のものも用いることができる。
【００５５】
また、本実施形態の飲料容器転倒防止具１は、筒状体３を断面形状が円形の筒体（台円錐形）とした例を示したが、本発明はこれに限定されるものではなく断面形状が矩形や多角形の筒体であっても良い。
【産業上の利用可能性】
【００５６】
本発明の飲料容器転倒防止具は、飲料の転倒を防止するための用途全般に利用可能である。
【符号の説明】
【００５７】
１  飲料容器転倒防止具
２  シート状部材
３  筒状体
５  固定手段
６  保持手段
７  変形可能部
１０  係合部
１１  被係合部
２１  切れ目
２５  保持片
２６  欠落部
３５  切れ目
５０  上部開口
５１  下部開口
５２  外周面
５６  箸（他物品）
【図１】
2015173950.tif 000003
【図２】
2015173950.tif 000004
【図３】
2015173950.tif 000005